(57)【要約】      （修正有）【課題】複数の梱包資材を同時に梱包する高効率的な梱包装置および方法の提供。【解決手段】梱包資材５、５’を収納したカートリッジ４、４’を旋回リング１の対角に配置すると共に、巻き始め押さえロール７を押し付け、旋回リング１の回転を開始し、梱包資材５、５’がお互いに張力が加わった時点をもって押さえロール７を外し梱包を開始することを特徴とする。【選択図】図２
2009292525.tif 000002
【特許請求の範囲】
【請求項１】
高効率的な梱包装置において、梱包資材を収納したカートリッジを対角に配置すると共に、巻き始め押さえロールを押し付け、解除可能に配設したことを特徴とする高効率的な梱包装置。
【請求項２】
高効率的な梱包方法において、梱包資材を収納したカートリッジを対角に配置し同時に梱包を行うに当たり先ず回転し、お互いのスタート時の梱包資材がお互いに張力が加わった時点をもって押さえロールを外し梱包を開始することを特徴とする高効率的な梱包方法。
【請求項３】
請求項２に記載の梱包方法において、梱包装置の軌跡となる円弧と、梱包材料の形を楕円となる両者の干渉を確認しながらスパイラル状に梱包することを特徴とする高効率的な梱包方法。
【発明の詳細な説明】
【技術分野】
【０００１】
本発明は、複数の梱包資材を同時に梱包する高効率的な梱包装置および方法に関するものである。
【背景技術】
【０００２】
従来、梱包資材を梱包する場合、スパイラル型梱包装置などでは、１種類の梱包資材を梱包する。例えば図４に示すように、従来の梱包装置においては旋回リング１が旋回ギア２によって旋回するように構成し、この旋回リング１には梱包体３に巻き付ける梱包資材５が梱包資材を収納したカートリッジ４から供給される。一方、旋回リング１に設けた梱包資材を収納したカートリッジ４は、旋回リング垂直方向からθの角度に傾いた状態で、梱包資材５がらせん状に梱包体３に連続的にスムーズに供給され巻かれて行く。図４は、従来のスパイラル型梱包装置を示す図である。図４（ａ）は正面図であり、図４（ｂ）は横断面図である。なお、符号６は搬送ローラを示す。
【０００３】
また、特開２００７−１７５９６４号公報（特許文献１）に開示されているように、特に、基材が発砲樹脂成形品である輸送用梱包資材、運送容器、パレット、ヘルメットなどであって、その表面を表皮シートで被覆することにより、繰り返しの使用を可能とし、また発砲樹脂が飛散して周囲を汚染するのを防止することができるようにした表皮シート付き発砲樹脂成形品とその製造方法が提案されている。
【特許文献１】特開２００７−１７５９６４号公報
【発明の開示】
【発明が解決しようとする課題】
【０００４】
上述した従来のスパイラル型梱包方法や特許文献１に開示されている発砲樹脂成形品とその製造方法は、いずれも、より効率的に梱包を行うために、複数の梱包資材を同時に梱包することができるものではなく、また、梱包資材を２重にして、２重の梱包を１回で実施する方法でもない。そのため、複数の梱包資材を同時に梱包するためには、梱包機構が２つ必要である。しかも単に２台設置するだけではなく、その配置は材料の寸法と梱包資材の軌跡を考慮した上で決定しなければないらないという問題がある。
【課題を解決するための手段】
【０００５】
上述した問題を解消するために、発明者らは鋭意開発を進めた結果、より効率的に梱包を行うために、梱包資材を同時に複数の梱包をすることができると共に、２種類の梱包資材をも１回の梱包によって同時に梱包することができる経済的に極めて優れた梱包体ができる高効率的な梱包装置およびその方法を提供するものである。その発明の要旨とするところは、
（１）高効率的な梱包装置において、梱包資材を収納したカートリッジを対角に配置すると共に、巻き始め押さえロールを押し付け、解除可能に配設したことを特徴とする高効率的な梱包装置。
【０００６】
（２）高効率的な梱包方法において、梱包資材を収納したカートリッジを対角に配置し同時に梱包を行うに当たり先ず回転し、お互いのスタート時の梱包資材がお互いに張力が加わった時点をもって押さえロールを外し梱包を開始することを特徴とする高効率的な梱包方法。
（３）前記（２）に記載の梱包方法において、梱包装置の軌跡となる円弧と、梱包材料の形を楕円となる両者の干渉を確認しながらスパイラル状に梱包することを特徴とする高効率的な梱包方法にある。
【発明の効果】
【０００７】
以上述べたように、本発明により複数の梱包資材を同時に梱包できると共に２種類の梱包資材をも１回の梱包によって同時に梱包することができる、経済的に優れた梱包装置およびその方法を提供できる極めて優れた効果を奏するものである。
【発明を実施するための最良の形態】
【０００８】
以下、本発明について図面に従って詳細に説明する。
図１は、本発明に係るスパイラル型梱包装置を示す図である。図１（ａ）は正面図であり、図１（ｂ）は横断面図である。この図に示すように、旋回リング１に設けた梱包資材を収納したカートリッジ４、４´、例えば梱包紙を収納したカートリッジを対角に配置する構造とし、この各々の梱包資材を収納したカートリッジ４、４´から２種類の梱包資材５、５´、例えば梱包紙を連続的に供給され、梱包体３にらせん状に巻き付けることができる。
【０００９】
図１に示したように、梱包紙を収納したカートリッジを対角に配置するような構造とした理由は、それぞれの両側の空間が広くなり、機器配置が容易となる。また、それぞれの位相差は０．５回転となり、制御的にも大変単純に行うことができる。例えば、０．３３３回転などとなると、その端数によって、制御上に累積誤差が生じて、微妙に梱包紙を止める位置が狂うなどの不具合がでてくるが、対角にすることで単純な制御が可能になるからである。
【００１０】
図２は、本発明に係るスタート時の梱包資材先端の押さえ方法を示す図である。図２（ａ）は正面図であり、図２（ｂ）は横断面図である。この図（ｂ）に示すように、スタート位置においては、各々の梱包資材を収納したカートリッジ４、４´から巻き戻された梱包資材５、５´を巻き始め押さえロール７にてそれぞれの巻き戻された梱包資材５、５´の先端を押さえる状態を示している。
【００１１】
図３は、本発明に係るスタート後の梱包資材が巻かれた状態を示す図である。図２（ａ）は正面図であり、図２（ｂ）は横断面図である。この図（ａ）に示すように、図２のように、各々の梱包資材５、５´が巻き始め押さえロール７にてそれぞれの巻き戻された梱包資材５、５´の先端を押さえながら、半回転し、お互いのスタート時の梱包資材５、５´がお互いに張力が加わり、梱包資材５、５´の先端がほどけなくなった時点で巻き始め押さえロール７の押さえから解除させた後に梱包資材を梱包体３に連続的に巻き付けるものである。なお、図３（ｂ）に示す符号８は、巻き始め押さえロールの押さえる点を示している。
【００１２】
このようにして、梱包動作は、材料を移動させながら、梱包紙を巻き付けていくものである。つまり、材料は移動しなければならず、梱包品質を確保するためには、高速で材料移動することが難しい。すなわち、高速で行うと梱包紙がよじれてしまう。そこで、本装置のように、２種類同時梱包をすることで、材料移動は１回でよく、しかも生産性は倍になることから、本装置はより高効率的な設備と言うことができる。
【実施例】
【００１３】
以下、本発明について実施例によって具体的に説明する。
梱包資材により巻き付ける梱包体として、高さ２５０ｍｍ、幅４２０ｍｍ、長さ５．５ｍの対象物体に対し、幅５００ｍｍの２種の梱包資材をそれぞれ半回転した後、押さえロールを解除して、梱包を開始した結果、１回の梱包によって２種類の２重の梱包資材を同時に良好に梱包することができた。
【００１４】
以上のように、本発明による複数の梱包資材で同時に梱包できると共に、２種類の梱包資材をも１回の梱包によって同時に梱包することにより、従来、梱包紙１種について梱包装置１台を設けていたために、梱包装置は駆動装置、伝達装置などを構成し、大型ギヤなどを必要とし、高価であったものが、上記のように、１台で２種を梱包することから、駆動装置、伝達装置は共通となり、経済的に極めて優れた安価な梱包装置にある。
【図面の簡単な説明】
【００１５】
【図１】本発明に係るスパイラル型梱包装置を示す図である。
【図２】本発明に係るスタート時の梱包資材先端の押さえ方法を示す図である。
【図３】本発明に係るスタート後の梱包資材が巻かれる状態を示す図である。
【図４】従来のスパイラル型梱包装置を示す図である。
【符号の説明】
【００１６】
１  旋回リング
２  旋回ギア
３  梱包体
４  、４´  梱包資材を収納したカートリッジ
５、５´  梱包資材
６  搬送ローラ
７  巻き始め押さえロール
８  押さえる点
特許出願人  山陽特殊製鋼株式会社
代理人  弁理士    椎  名    彊
【図１】
2009292525.tif 000003
【図２】
2009292525.tif 000004
【図３】
2009292525.tif 000005
【図４】
2009292525.tif 000006